(57)【特許請求の範囲】
【請求項１】
上下一対の上下両面と前後一対の前後両面と左右一対の左右両側面とを有する六面体形態の袋構造物であって上下の嵩張りがないように扁平状に折り込むことができるものであること、および、
上記袋構造物の上面には、前後部にわたる起立状の合掌部分があってその合掌部分を内容物の取り出し口とするものであること、および、
上記袋構造物が表裏二枚の胴部フィルムとガゼットフィルムとを備えており、そのうちの表裏両胴部フィルムの起立した延長部で上記合掌部分が形成され、かつ、そのうちのガゼットフィルムが六面体形態をなす上記袋構造物の前面部や後面部に介在されてその袋構造物の前面と後面とが当該ガゼットフィルムにより形成されていること、および、
上記袋構造物の六面体形態における左右両側面には、上記表裏両胴部フィルム側と上記袋構造物の下面部分側とを前後方向にわたって横長にシールしているサイドシールが存在すること、および、
上記袋構造物における前後両面と左右両側面との相対関係については、前後両面の左右幅が、左右両側面の前後長さを下回るものであること
を前提とする合掌部分付きの合成樹脂製袋体において、
上記袋構造物のガゼットフィルムからなる前後両面には、その袋構造物の六面体形態を維持するための合成樹脂製形状保持シートが接着されて施されており、かつ、合成樹脂製形状保持シートがガゼットフィルムと共に折り込まれるものであること
を特徴とする合成樹脂製袋体。
【請求項２】
上記袋構造物のガゼットフィルムからなる前後両面には、それぞれの全面に合成樹脂製形状保持シート片が接着されて施されている請求項１に記載された合成樹脂製袋体。
【請求項３】
上記袋構造物のガゼットフィルムからなる前後両面には、両胴部フィルムとガゼットフィルムとが連続する四隅のそれぞれ角部に合成樹脂製形状保持シート片が接着されて施されている請求項１に記載された合成樹脂製袋体。
【発明の詳細な説明】
【技術分野】
【０００１】
本発明は、袋の形態を六面体に維持する合掌部分付きの合成樹脂製袋体に関するものである。
【背景技術】
【０００２】
美容用フェイシアル・マスクやトイレ補助具等を収納する袋体として、図１０で示すように、表裏二枚の胴部フィルム１ａ、１ｂの間の両側部にガゼットフィルム４が介在されサイドシール２し前記胴部フィルム１ａ、１ｂより延長した合掌部分３を内容物の取り出し口とした横置きとなる合掌部分付きの合成樹脂製袋体が提供されている。
【０００３】
この合掌部分付きの合成樹脂製袋体は、内容物を充填して立体形を維持しようとしても、フィルム自体の剛性が強いため立体形状の保持には限度があり、袋体の角は丸みを帯びて楕円形態となり、内容物を保護することができても、販売店等での陳列の際の美観を呈する六面体からなる角張った立体形状を保持するのは極めて困難である。
【０００４】
立体形状を保持する袋体で特許文献２で開示されているように、立体形状を保持するために紙製等の型部材を袋体内に装填している発明が提供されている。
【０００５】
このものは、紙製等の型部材を袋体内に装填するため、非常に煩雑な製造工程を要し、コスト面の問題と品質面の均一性が難しいという問題を有している。
【特許文献１】特開２００６−３３５４２０公報
【特許文献２】特開２００７−４５４９４公報
【発明の開示】
【発明が解決しようとする課題】
【０００６】
本発明は、横置きとなる合掌部分付きの合成樹脂製袋体において、低コスト及び簡単な製造工程で袋の形態を六面体に維持する合成樹脂製袋体を提供することである。
【課題を解決するための手段】
【０００７】
上記の課題を解決するための本発明に係る合掌部分付きの合成樹脂製袋体は、下記第１項〜第３項の手段を特徴とするものである。
<第１項>
上下一対の上下両面と前後一対の前後両面と左右一対の左右両側面とを有する六面体形態の袋構造物であって上下の嵩張りがないように扁平状に折り込むことができるものであること、および、
上記袋構造物の上面には、前後部にわたる起立状の合掌部分があってその合掌部分を内容物の取り出し口とするものであること、および、
上記袋構造物が表裏二枚の胴部フィルムとガゼットフィルムとを備えており、そのうちの表裏両胴部フィルムの起立した延長部で上記合掌部分が形成され、かつ、そのうちのガゼットフィルムが六面体形態をなす上記袋構造物の前面部や後面部に介在されてその袋構造物の前面と後面とが当該ガゼットフィルムにより形成されていること、および、
上記袋構造物の六面体形態における左右両側面には、上記表裏両胴部フィルム側と上記袋構造物の下面部分側とを前後方向にわたって横長にシールしているサイドシールが存在すること、および、
上記袋構造物における前後両面と左右両側面との相対関係については、前後両面の左右幅が、左右両側面の前後長さを下回るものであること
を前提とする合掌部分付きの合成樹脂製袋体において、
上記袋構造物のガゼットフィルムからなる前後両面には、その袋構造物の六面体形態を維持するための合成樹脂製形状保持シートが接着されて施されており、かつ、合成樹脂製形状保持シートがガゼットフィルムと共に折り込まれるものであること
を特徴とする合成樹脂製袋体。
<第２項>
上記袋構造物のガゼットフィルムからなる前後両面には、それぞれの全面に合成樹脂製形状保持シート片が接着されて施されている上記第１項に記載された合成樹脂製袋体。
<第３項>
上記袋構造物のガゼットフィルムからなる前後両面には、両胴部フィルムとガゼットフィルムとが連続する四隅のそれぞれ角部に合成樹脂製形状保持シート片が接着されて施されている上記第１項に記載された合成樹脂製袋体。
【発明の効果】
【０００８】
本発明によると、六面体の形態を維持するための合成樹脂製形状保持シートにより袋体は扁平状に折り畳んだり、六面体からなる角張った立体形状を保持したりすることができる。よって本発明によるときは、内容物の保護や陳列の際の美観を呈する横置きとなる合掌部分付きの合成樹脂製袋体を低コスト及び簡単な製造工程で提供することができる。
【発明を実施するための最良の形態】
【０００９】
以下本発明を実施するための最良の形態を図面に基づいて説明する。
【００１０】
図１は本発明の実施例１を示し、表裏二枚の胴部フィルム１ａ、１ｂの間の両側部にガゼットフィルム４が介在されサイドシール２し前記胴部フィルム１ａ、１ｂより延長した合掌部分３を内容物の取り出し口とした合掌部分付きの合成樹脂製袋体であり、前記合掌部分３の内側にはチャック１０が設けられている。
【００１１】
この本発明の実施例１は、対向する前後両面においてそれぞれの全面に、六面体の形態を維持するための合成樹脂製形状保持シート５を施したものである。
【００１２】
前記合成樹脂製形状保持シート５については、ポリエチレン又はポリプロピレン等のポリオレフィンが好ましく、例えばフォルテ（商品名、積水化学社製、ポリエチレン超延伸シート）をあげることができ、当該形状保持シート５は、図２で示すようにガゼットフィルム４の高さと、前後両面の左右幅に対応する寸法のシートで、ガゼットフィルム４の折り畳み線４ａに対応した折り込み線６を有するものである。この合成樹脂製形状保持シート５を対向する前後両面の内面に接着あるいは積層して配置する。
【００１３】
図３は前記実施例１の設計変更例を示し、対向する前後両面の内面に接着あるいは積層して配置される合成樹脂製形状保持シート５ａは図４で示すように、両側端に折り込み線６を中心にした山形窪み５ｂを形成した形状であり、対向する前後両面の両端部の一部を残して対向する前後両面の内面に接着あるいは積層して配置したものである。
【００１４】
上記実施例１及び実施例１の設計変更例の何れにおいても、合成樹脂製形状保持シート５、５ａは折り込み線６で折り込まれて袋体は扁平状になり、折り込まれた合成樹脂製形状保持シート５、５ａを延ばして直立させることにより、その張力で袋体は図１及び図３で示すように、上面に内容物の取り出し口となる合掌部分３を有した六面体からなる角張った立体形状を保持する横置きの合成樹脂製袋体となる。
【００１５】
図５は本発明の実施例２を示し、表裏二枚の胴部フィルム１ａ、１ｂの間の両側部にガゼットフィルム４が介在されサイドシール２し前記胴部フィルム１ａ、１ｂより延長した合掌部分３を内容物の取り出し口とした合掌部分付きの合成樹脂製袋体であり、前記合掌部分３の内側にはチャック１０が設けられている点は実施例１と同様である。
【００１６】
この実施例２は、胴部フィルム１ａ、１ｂとガゼットフィルム４とが連続する四隅の角部に六面体の形態を維持するための合成樹脂製形状保持シート片７を施したものである。  
【００１７】
前記合成樹脂製形状保持シート片７については、ポリエチレン又はポリプロピレン等のポリオレフィンが好ましく、例えばフォルテ（商品名、積水化学社製、ポリエチレン超延伸シート）をあげることができる。当該形状保持シート７については、また、図６で示すようにガゼットフィルム４の高さに対応した寸法を有するシートで、ガゼットフィルム４の折り畳み線４ａに対応した折り込み線６を有したもの、あるいは、図７（Ａ）で示すようにガゼットフィルム４の折り畳み線を中心にした山形窪み７ａを形成した形状や図７（Ｂ）で示すようにガゼットフィルム４の折り畳み線４ａに対応した部位に切欠凹部７ｂを形成した形状をあげることができる。この合成樹脂製形状保持シート７を胴部フィルム１ａ、１ｂとガゼットフィルム４とが連続する四隅の角部の内面に接着あるいは積層して配置する。
【００１８】
この実施例２においては、胴部フィルム１ａ、１ｂとガゼットフィルム４とが連続する四隅の角部に配置した合成樹脂製形状保持シート片７は、折り込み線６あるいは山形窪み７ａや切欠凹部７ｂで折り込まれて袋体は扁平状になり、折り込まれた合成樹脂製形状保持シート片７を延ばして直立させることにより、その張力で袋体は図５で示すように、上面に内容物の取り出し口となる合掌部分３を有した六面体からなる角張った立体形状を保持する横置きの合成樹脂製袋体となる。
【００１９】
図８は本発明の実施例３を示し、表裏二枚の胴部フィルム１ａ、１ｂの間の両側部にガゼットフィルム４が介在されサイドシール２し前記胴部フィルム１ａ、１ｂより延長した合掌部分３を内容物の取り出し口とした合掌部分付きの合成樹脂製袋体であり、前記合掌部分３の内側にはチャック１０が設けられている点は実施例１及び２と同様である。
【００２０】
この実施例３では、六面体の形態を維持するための図９（Ａ）で示す窓枠状の合成樹脂製形状保持シート８又は図９（Ｂ）で示す格子状の合成樹脂製形状保持シート９を、対向する前後両面に施したものである。
【００２１】
前記窓枠状の合成樹脂製形状保持シート８又は格子状の合成樹脂製形状保持シート９はポリエチレン又はポリプロピレン等のポリオレフインが好ましく、例えばフォルテ（商品名、積水化学社製、ポリエチレン超延伸シート）であり、図８で示すように六面体なるガゼットフィルム４の高さと、対向する前後両面幅寸法のシートで、ガゼットフィルム４の折り畳み線に対応した折り込み線６を有したものである。この窓枠状の合成樹脂製形状保持シート８又は格子状の合成樹脂製形状保持シート９を対向する前後両面の内面に接着あるいは積層して配置する。
【００２２】
この実施例３においては、対向する前後両面の内面に接着あるいは積層して配置した窓枠状の合成樹脂製形状保持シート８又は格子状の合成樹脂製形状保持シート９は、折り込み線６で折り込まれて袋体は扁平状になり、折り込まれた窓枠状の合成樹脂製形状保持シート８又は格子状の合成樹脂製形状保持シート９を延ばして直立させることにより、その張力で袋体は図８で示すように、上面に内容物の取り出し口となる合掌部分３を有した六面体からなる角張った立体形状を保持する横置きの合成樹脂製袋体となる。
【００２３】
上記実施例１、実施例１の設計変更例、実施例２及び実施例３の何れも横置きの合掌部分付き合成樹脂製袋体において、内容物充填後には箱形の立体形を保持できるため、特に形に崩れ易い内容物を保護することができ、商品販売店等での陳列では袋でありながら六面体からなる角張った立体形状の美観を呈し、また印刷表示や視覚伝達のデザインのためのスペースとして六面体全面が有効利用でき斬新な包装形態を消費者にアピールできるもので、ディスプレー効果を高めることができる。
【００２４】
また、六面体からなる角張った立体形状となる横置きの合掌部分付き合成樹脂製袋体の両側面ガゼットフィルム４は合成樹脂製形状保持シート５、合成樹脂製形状保持シート片７、窓枠状の合成樹脂製形状保持シート８又は格子状の合成樹脂製形状保持シート９と共に折り畳むことができるため、空袋の輸送時には袋体を扁平状に折り畳んで輸送ケース等に無駄なスペースも要せずコンパクトに収納することができる。
【００２５】
本発明に用いられる合成樹脂製形状保持シート５、合成樹脂製形状保持シート片７、窓枠状の合成樹脂製形状保持シート８又は格子状の合成樹脂製形状保持シート９は薄手のフィルムであっても保形効果を上げることができ、また材質がポリエチレン系であるため、包装フィルムとしてヒートシール性があり製造工程にも追加や変更の必要がなく、しかも非金属製であるため、品質検査が厳しい食品等にも商品充填後の金属探知検査機に対応できる。
【００２６】
さらに、山形窪み７ａや切欠凹部７ｂを設けた合成樹脂製形状保持シートについては、この山形窪み７ａや切欠凹部７ｂ部分で幅が狭くなることから、該部は折り曲げ及び折り曲げた状態から延ばして直立させる際の抵抗力が小さくてすみ、折り曲げ状態及び折り曲げた状態から延ばした直立状態の形状を維持する利点がある。
【００２７】
上記の実施例では、合掌部分３に再開閉可能なチャック１０を設けた袋体で説明したが、本発明はチャックなしの袋体にも適用されることを付言する。
【図面の簡単な説明】
【００２８】
【図１】本発明の実施例１を示す斜視図
【図２】実施例１に施される合成樹脂製形状保持シートの表裏面斜視図
【図３】実施例１の設計変更例を示す斜視図
【図４】実施例１の設計変更例に施される合成樹脂製形状保持シートの斜視図
【図５】本発明の実施例２を示す斜視図
【図６】実施例２に施される合成樹脂製形状保持シート片の表裏面斜視図
【図７】実施例２に施される合成樹脂製形状保持シート片他の形状例を示す正面図
【図８】本発明の実施例３を示す斜視図
【図９】実施例１に施される窓枠状の合成樹脂製形状保持シート及び格子状の合成樹脂製形状保持シートの斜視図
【図１０】従来の合掌部分付きの合成樹脂製袋体の斜視図
【符号の説明】
【００２９】
１ａ  表側胴部フィルム
１ｂ  裏側胴部フィルム
２    サイドシール
３    合掌部分
４    ガゼットフィルム
４ａ ガゼットフィルムの折り込み線
５    合成樹脂製形状保持シート
５ａ  合成樹脂製形状保持シート
５ｂ 合成樹脂製形状保持シートの山形窪み
６    合成樹脂製形状保持シートの折り込み線
７    合成樹脂製形状保持シート片
８    窓枠状の合成樹脂製形状保持シート
９    格子状の合成樹脂製形状保持シート層
【図１】
0005197994.tif 000002
【図２】
0005197994.tif 000003
【図３】
0005197994.tif 000004
【図４】
0005197994.tif 000005
【図５】
0005197994.tif 000006
【図６】
0005197994.tif 000007
【図７】
0005197994.tif 000008
【図８】
0005197994.tif 000009
【図９】
0005197994.tif 000010
【図１０】
0005197994.tif 000011